【手続補正書】
【提出日】平成19年10月26日(2007.10.26)
【手続補正１】
【補正対象書類名】特許請求の範囲
【補正対象項目名】全文
【補正方法】変更
【補正の内容】
【特許請求の範囲】
【請求項１】
誘電溶媒又は溶媒混合物に分散した電気泳動ピグメント粒子を含んで成る電気泳動分散物にしきい剤を加えることを含む、電気泳動ディスプレーのしきい電圧を誘起する又は向上する方法であって、該しきい剤は、
（ａ）電気泳動ピグメント粒子の電荷と反対の電荷を、電気泳動ピグメント粒子に誘起する又はもたらす、及び
（ｂ）もとの電気泳動ピグメント粒子の電荷特性が、印加電圧の変化に敏感な場合、しきい剤によってもたらされる電荷特性は、印加電圧の変化に鈍感である、また逆も同様である方法。
【請求項２】
該電気泳動ピグメント粒子の電荷は、正であり、しきい剤によってもたらされる電荷は、負である、又は該電気泳動ピグメント粒子の電荷は、負であり、しきい剤によってもたらされる電荷は、正である請求項１に記載の方法。
【請求項３】
該しきい剤は、誘電溶媒又は溶媒混合物に可溶又は分散可能である、又は該しきい剤は、電気泳動ピグメント粒子の表面に、吸着される請求項１に記載の方法。
【請求項４】
電気泳動ピグメント粒子は、しきい電圧より高い電圧で、しきい剤の添加の前及び後で、同じ極性の電荷を帯びる請求項１に記載の方法。
【請求項５】
電気泳動ピグメント粒子は、しきい電圧より高い電圧で、しきい剤の添加の後で、しきい剤によってもたらされる電荷と同じ極性の電荷を帯びる請求項１に記載の方法。
【請求項６】
該電気泳動ピグメント粒子は、電荷を帯びた一次ピグメント粒子、ピグメント含有粒子、コア−シェル粒子又は中空粒子である請求項１に記載の方法。
【請求項７】
該誘電溶媒は、フッ素化溶媒である請求項１に記載の方法。
【請求項８】
しきい電圧を超える印加電圧の１ボルトの変化がある場合、電気泳動移動性又は電荷密度の約（１２０／Ｖｏｐ）％より大きい変化を電気泳動ピグメント粒子が示す請求項１に記載の方法。
【請求項９】
しきい電圧を超える印加電圧の１ボルトの変化がある場合、しきい剤によって誘起される又はもたらされる電荷は、電気泳動移動性又は電荷密度の約（３０／Ｖｏｐ）％より小さい変化を示す請求項８に記載の方法。
【請求項１０】
しきい電圧を超える印加電圧の１ボルトの変化がある場合、しきい剤によって誘起される又はもたらされる電荷は、電気泳動移動性又は電荷密度の約（１２０／Ｖｏｐ）％より大きい変化を示す請求項１に記載の方法。
【請求項１１】
しきい電圧を超える印加電圧の１ボルトの変化がある場合、電気泳動移動性又は電荷密度の約（３０／Ｖｏｐ）％より小さい変化を電気泳動ピグメント粒子が示す請求項１０に記載の方法。
【請求項１２】
誘電溶媒又は溶媒混合物に分散されるしきい剤は、電気泳動ピグメント粒子より少なくとも約１／４より小さい粒子サイズを有する請求項３に記載の方法。
【請求項１３】
該しきい剤は、色素又はピグメントである、電解質又は高分子電解質である、オリゴマー又はポリマーである、又は界面活性剤である請求項１に記載の方法。
【請求項１４】
該色素又はピグメントは、フッ素化フタロシアニン、ナフタロシアニン、アントラキノン、ペリレン、キナクリドン、ジケトピロロピロール、ナフタルイミド、ジアジン、ポリアニリン及びポルフィリン色素から成る群から選択される請求項１３に記載の方法。
【請求項１５】
該色素又はピグメントは、電気泳動ピグメント粒子の乾燥重量の合計を基準として、約０．０１〜約２０重量％で存在する請求項１３に記載の方法。
【請求項１６】
該電解質又は高分子電解質は、Ｌｉ、Ｚｒ、Ｚｎ、Ｎｉ、Ｃｕ、Ｃｏ、Ｂ、Ａｌ、ピリジニウム、アンモニウム、オキシウム、スルホニウム及びホスホニウムの塩から成る群から選択される請求項１３に記載の方法。
【請求項１７】
該電解質又は高分子電解質は、リチウム塩又はピリジニウム塩である請求項１３に記載の方法。
【請求項１８】
電解質又は高分子電解質は、電気泳動ピグメント粒子の乾燥重量の合計を基準として、約０．０１〜約５重量％で存在する請求項１３に記載の方法。
【請求項１９】
該ポリマー又はオリゴマーは、電気泳動ピグメント粒子の表面の官能基と、水素結合、酸−塩基相互作用、ドナー−アクセプター相互作用、金属−リガンド相互作用又はクーロン相互作用を形成し得る官能基を含んで成る請求項１３に記載の方法。
【請求項２０】
該官能基は、−ＯＲ、−ＣＯＯＲ、−ＣＯＮＲＲ１、−ＯＣＯＮＲＲ１、−ＮＲ２ＣＯＮＲＲ１、−ＳＯ２ＮＲＲ１、−ＮＲＲ１、［ただし、Ｒ、Ｒ１及びＲ２は、独立して水素、アルキル、アリール、アルキルアリール、アリールアルキル又はそれらのフッ素化誘導体］から成る群から選択される請求項１９に記載の方法。
【請求項２１】
該Ｒ、Ｒ１及びＲ２は、ヘテロ原子又はイオン基を更に含んで成る請求項２０に記載の方法。
【請求項２２】
該ヘテロ原子は、Ｎ、Ｓ、Ｓｉ又は金属イオンである請求項２１に記載の方法。
【請求項２３】
該イオン基は、アンモニウム、ピリジニウム、スルホネート、サルフェート、カルボキシレート又はホスフェートである請求項２１に記載の方法。
【請求項２４】
該オリゴマー又はポリマーは、約２００〜約５，０００，０００の分子量を有する請求項１９に記載の方法。
【請求項２５】
該オリゴマー又はポリマーは、電気泳動ピグメント粒子の乾燥重量の合計を基準として、約０．０１〜約２０重量％で存在する請求項１３に記載の方法。
【請求項２６】
１）電気泳動ピグメント粒子；
２）誘電溶媒又は溶媒混合物；及び
３）電気泳動ピグメント粒子の電荷と反対の電荷を誘起する又はもたらすしきい剤
を含んで成る電気泳動分散物であって、
電気泳動ピグメント粒子の電荷特性が、印加電圧の変化に敏感な場合、しきい剤によってもたらされる電荷特性は、印加電圧の変化に鈍感である、また逆も同様である電気泳動分散物。
【請求項２７】
該しきい剤は、色素又はピグメントである、電解質又は高分子電解質である、オリゴマー又はポリマーである、又は界面活性剤である請求項２６に記載の電気泳動分散物。
【請求項２８】
該電解質又は高分子電解質は、リチウム塩又はピリジニウム塩である請求項２７に記載の電気泳動分散物。
【請求項２９】
該電気泳動ピグメント粒子は、電気泳動ピグメント含有微粒子である請求項２６に記載の電気泳動分散物。
【請求項３０】
該電気泳動ピグメント含有微粒子は、界面重合又は架橋工程を含んで成る方法によって製造される、又は現場重合工程を含んで成る方法によって製造される、又はコアセルベーション工程を含んで成る方法によって製造される請求項２９に記載の電気泳動分散物。
【請求項３１】
該電気泳動ピグメント含有微粒子は、電荷制御剤又は保護コロイドを含んで成る請求項２９に記載の電気泳動分散物。
【手続補正２】
【補正対象書類名】明細書
【補正対象項目名】０１４１
【補正方法】変更
【補正の内容】
【０１４１】
【表７】
2007534006.tif 000001
以下に、本発明の主な態様を示す。
１．
誘電溶媒又は溶媒混合物に分散した電気泳動ピグメント粒子を含んで成る電気泳動分散物にしきい剤を加えることを含む、電気泳動ディスプレーのしきい電圧を誘起する又は向上する方法であって、該しきい剤は、
（ａ）電気泳動ピグメント粒子の電荷と反対の電荷を、電気泳動ピグメント粒子に誘起する又はもたらす、及び
（ｂ）もとの電気泳動ピグメント粒子の電荷特性が、印加電圧の変化に敏感な場合、しきい剤によってもたらされる電荷特性は、印加電圧の変化に鈍感である、また逆も同様である方法。
２．
該電気泳動ピグメント粒子の電荷は、正であり、しきい剤によってもたらされる電荷は、負である上記１に記載の方法。
３．
該電気泳動ピグメント粒子の電荷は、負であり、しきい剤によってもたらされる電荷は、正である上記１に記載の方法。
４．
該しきい剤は、誘電溶媒又は溶媒混合物に可溶である上記１に記載の方法。
５．
該しきい剤は、誘電溶媒又は溶媒混合物に分散可能である上記１に記載の方法。
６．
該しきい剤は、電気泳動ピグメント粒子の表面に、吸着される上記１に記載の方法。
７．
電気泳動ピグメント粒子は、しきい電圧より高い電圧で、しきい剤の添加の前及び後で、同じ極性の電荷を帯びる上記１に記載の方法。
８．
電気泳動ピグメント粒子は、しきい電圧より高い電圧で、しきい剤の添加の後で、しきい剤によってもたらされる電荷と同じ極性の電荷を帯びる上記１に記載の方法。
９．
該電気泳動ピグメント粒子は、電荷を帯びた一次ピグメント粒子、ピグメント含有粒子、コア−シェル粒子又は中空粒子である上記１に記載の方法。
１０．
該電気泳動ピグメント粒子は、ピグメント含有微粒子である上記１に記載の方法。
１１．
該誘電溶媒は、フッ素化溶媒である上記１に記載の方法。
１２．
該誘電溶媒は、パーフルオロポリエーテル又はハイドロフルオロポリエーテルである上記１１に記載の方法。
１３．
しきい電圧を超える印加電圧の１ボルトの変化がある場合、電気泳動移動性又は電荷密度の約（１２０／Ｖｏｐ）％より大きい変化を電気泳動ピグメント粒子が示す上記１に記載の方法。
１４．
しきい電圧を超える印加電圧の１ボルトの変化がある場合、電気泳動移動性又は電荷密度の約（１５０／Ｖｏｐ）％より大きい変化を電気泳動ピグメント粒子が示す上記１に記載の方法。
１５．
しきい電圧を超える印加電圧の１ボルトの変化がある場合、しきい剤によって誘起される又はもたらされる電荷は、電気泳動移動性又は電荷密度の約（３０／Ｖｏｐ）％より小さい変化を示す上記１３に記載の方法。
１６．
しきい電圧を超える印加電圧の１ボルトの変化がある場合、しきい剤によって誘起される又はもたらされる電荷は、電気泳動移動性又は電荷密度の約（１５／Ｖｏｐ）％より小さい変化を示す上記１３に記載の方法。
１７．
しきい電圧を超える印加電圧の１ボルトの変化がある場合、しきい剤によって誘起される又はもたらされる電荷は、電気泳動移動性又は電荷密度の約（３０／Ｖｏｐ）％より小さい変化を示す上記１４に記載の方法。
１８．
しきい電圧を超える印加電圧の１ボルトの変化がある場合、しきい剤によって誘起される又はもたらされる電荷は、電気泳動移動性又は電荷密度の約（１５／Ｖｏｐ）％より小さい変化を示す上記１４に記載の方法。
１９．
しきい電圧を超える印加電圧の１ボルトの変化がある場合、しきい剤によって誘起される又はもたらされる電荷は、電気泳動移動性又は電荷密度の約（１２０／Ｖｏｐ）％より大きい変化を示す上記１に記載の方法。
２０．
しきい電圧を超える印加電圧の１ボルトの変化がある場合、しきい剤によって誘起される又はもたらされる電荷は、電気泳動移動性又は電荷密度の約（１５０／Ｖｏｐ）％より大きい変化を示す上記１に記載の方法。
２１．
しきい電圧を超える印加電圧の１ボルトの変化がある場合、電気泳動移動性又は電荷密度の約（３０／Ｖｏｐ）％より小さい変化を電気泳動ピグメント粒子が示す上記１９に記載の方法。
２２．
しきい電圧を超える印加電圧の１ボルトの変化がある場合、電気泳動移動性又は電荷密度の約（１５／Ｖｏｐ）％より小さい変化を電気泳動ピグメント粒子が示す上記１９に記載の方法。
２３．
しきい電圧を超える印加電圧の１ボルトの変化がある場合、電気泳動移動性又は電荷密度の約（３０／Ｖｏｐ）％より小さい変化を電気泳動ピグメント粒子が示す上記２０に記載の方法。
２４．
しきい電圧を超える印加電圧の１ボルトの変化がある場合、電気泳動移動性又は電荷密度の約（１５／Ｖｏｐ）％より小さい変化を電気泳動ピグメント粒子が示す上記２０に記載の方法。
２５．
しきい剤は、電気泳動ピグメント粒子より少なくとも約１／４より小さい粒子サイズを有する上記５に記載の方法。
２６．
しきい剤は、電気泳動ピグメント粒子より少なくとも約１／１０より小さい粒子サイズを有する上記２５に記載の方法。
２７．
該しきい剤は、色素又はピグメントである上記１に記載の方法。
２８．
該色素又はピグメントは、フッ素化フタロシアニン、ナフタロシアニン、アントラキノン、ペリレン、キナクリドン、ジケトピロロピロール、ナフタルイミド、ジアジン、ポリアニリン及びポルフィリン色素から成る群から選択される上記２７に記載の方法。
２９．
色素又はピグメントは、電気泳動ピグメント粒子の乾燥重量の合計を基準として、約０．０１〜約２０重量％で存在する上記２７に記載の方法。
３０．
色素又はピグメントは、電気泳動ピグメント粒子の乾燥重量の合計を基準として、約０．０３〜約１０重量％で存在する上記２９に記載の方法。
３１．
色素又はピグメントは、電気泳動ピグメント粒子の乾燥重量の合計を基準として、約０．１〜約３重量％で存在する上記３０に記載の方法。
３２．
しきい剤は、電解質又は高分子電解質である上記１に記載の方法。
３３．
該電解質又は高分子電解質は、Ｌｉ、Ｚｒ、Ｚｎ、Ｎｉ、Ｃｕ、Ｃｏ、Ｂ、Ａｌ、ピリジニウム、アンモニウム、オキシウム、スルホニウム及びホスホニウムの塩から成る群から選択される上記３２に記載の方法。
３４．
該電解質又は高分子電解質は、リチウム又はピリジニウム塩である上記３３に記載の方法。
３５．
電解質又は高分子電解質は、電気泳動ピグメント粒子の乾燥重量の合計を基準として、約０．０１〜約５重量％で存在する上記３２に記載の方法。
３６．
電解質又は高分子電解質は、電気泳動ピグメント粒子の乾燥重量の合計を基準として、約０．０２〜約１重量％で存在する上記３５に記載の方法。
３７．
該しきい剤は、電気泳動ピグメント粒子の表面の官能基と、水素結合、酸−塩基相互作用、ドナー−アクセプター相互作用、金属−リガンド相互作用又はクーロン相互作用を形成し得る官能基を含んで成るポリマー又はオリゴマーである上記１に記載の方法。
３８．
該官能基は、−ＯＲ、−ＣＯＯＲ、−ＣＯＮＲＲ１、−ＯＣＯＮＲＲ１、−ＮＲ２ＣＯＮＲＲ１、−ＳＯ２ＮＲＲ１、−ＮＲＲ１、［ただし、Ｒ、Ｒ１及びＲ２は、独立して水素、アルキル、アリール、アルキルアリール、アリールアルキル又はそれらのフッ素化誘導体］から成る群から選択される上記３７に記載の方法。
３９．
該Ｒ、Ｒ１及びＲ２は、ヘテロ原子を更に含んで成る上記３８に記載の方法。
４０．
該ヘテロ原子は、Ｎ、Ｓ、Ｓｉ又は金属イオンである上記３９に記載の方法。
４１．
該Ｒ、Ｒ１及びＲ２は、イオン基を更に含んで成る上記３８に記載の方法。
４２．
該イオン基は、アンモニウム、ピリジニウム、スルホネート、サルフェート、カルボキシレート又はホスフェートである上記４１に記載の方法。
４３．
該オリゴマー又はポリマーは、約２００〜約５，０００，０００の分子量を有する上記３７に記載の方法。
４４．
該オリゴマー又はポリマーは、約３００〜約１００，０００の分子量を有する上記４３に記載の方法。
４５．
該オリゴマー又はポリマーは、約５００〜約５０，０００の分子量を有する上記４４に記載の方法。
４６．
該オリゴマー又はポリマーは、クライトックスエステル、フルオロリンクＤ又はフルオロリンクＬから誘導される上記３６に記載の方法。
４７．
オリゴマー又はポリマーは、電気泳動ピグメント粒子の乾燥重量の合計を基準として、約０．０１〜約２０重量％で存在する上記３６に記載の方法。
４８．
オリゴマー又はポリマーは、電気泳動ピグメント粒子の乾燥重量の合計を基準として、約０．０３〜約１０重量％で存在する上記４７に記載の方法。
４９．
オリゴマー又はポリマーは、電気泳動ピグメント粒子の乾燥重量の合計を基準として、約０．１〜約３重量％で存在する上記４８に記載の方法。
５０．
１）電気泳動ピグメント粒子；
２）誘電溶媒又は溶媒混合物；及び
３）電気泳動ピグメント粒子の電荷と反対の電荷を誘起する又はもたらすしきい剤
を含んで成る電気泳動分散物であって、
電気泳動ピグメント粒子の電荷特性が、印加電圧の変化に敏感な場合、しきい剤によってもたらされる電荷特性は、印加電圧の変化に鈍感である、また逆も同様である電気泳動分散物。
５１．
該しきい剤は、色素又はピグメントである上記５０に記載の電気泳動分散物。
５２．
該しきい剤は、電解質又は高分子電解質である上記５０に記載の電気泳動分散物。
５３．
該電解質又は高分子電解質は、リチウム塩である上記５２に記載の電気泳動分散物。
５４．
該電解質又は高分子電解質は、ピリジニウム塩である上記５２に記載の電気泳動分散物。
５５．
該しきい剤は、オリゴマー又はポリマーである上記５０に記載の電気泳動分散物。
５６．
該しきい剤は、界面活性剤である上記５０に記載の電気泳動分散物。
５７．
該電気泳動ピグメント粒子は、電気泳動ピグメント含有微粒子である上記５０に記載の電気泳動分散物。
５８．
該電気泳動ピグメント含有微粒子は、界面重合又は架橋工程を含んで成る方法によって製造される、又は現場重合工程を含んで成る方法によって製造される、又はコアセルベーション工程を含んで成る方法によって製造される上記５７に記載の電気泳動分散物。
５９．
該電気泳動ピグメント含有微粒子は、電荷制御剤を含んで成る上記５７に記載の電気泳動分散物。
６０．
該電気泳動ピグメント含有微粒子は、保護コロイドを含んで成る上記５７に記載の電気泳動分散物。
６１．
ａ）電気泳動ピグメント粒子；
ｂ）誘電溶媒又は溶媒混合物；及び
ｃ）電気泳動ピグメント粒子の電荷と反対の電荷を誘起する又はもたらすしきい剤
を含んで成る電気泳動分散物であって、
電気泳動ピグメント粒子の電荷特性が、印加電圧の変化に敏感な場合、しきい剤によってもたらされる電荷特性は、印加電圧の変化に鈍感である、また逆も同様である
電気泳動分散物で充填されたディスプレーセルを含んで成る電気泳動ディスプレー。
６２．
マイクロカップ技術で製造される上記６１に記載の電気泳動ディスプレー。
６３．
マイクロカプセル化法で製造される上記６１に記載の電気泳動ディスプレー。
６４．
常套のアップ／ダウン・スイッチングモード、又はインプレイン・スイッチングモード又はデュアル・スイッチングモードを有する上記６１に記載の電気泳動ディスプレー。